【事件の表示】
　特願２０１３−２４６２１０号「遊技板及び遊技機」拒絶査定不服審判事件〔平成２７年　６月　８日出願公開、特開２０１５−１０４３９２号〕について、次のとおり審決する。
【結　論】
　本件審判の請求は、成り立たない。
【理　由】
第１　手続の経緯
　本願は、平成２５年１１月２８日に特許出願されたものであって、平成２９年８月１日付けで拒絶理由通知がなされ、同年９月２９日に意見書及び手続補正書が提出され、平成２９年１０月５日付けで拒絶査定がなされ、これに対して同年１２月１２日に拒絶査定不服審判が請求され、これに対して平成３０年９月３日付けで拒絶理由通知がなされ、同年１０月１２日に意見書及び手続補正書が提出されたものである。
第２　本願発明について
１　本願発明
　本願の請求項に係る発明は、平成３０年１０月１２日にされた手続補正により補正された特許請求の範囲に記載された事項により特定されるものであるところ、その請求項１に係る発明（以下「本願発明」という。）は、その請求項１に記載された事項により特定される、次のとおりのものである（なお、当審にて分説のために記号ＡないしＥを付した。）。
「　【請求項１】
Ａ　透明又は半透明な素材で作製された遊技基板と、
Ｂ　前記遊技基板の前面側の一部に後面及び背面側が視認可能な第１背面側視認可能領域を有するように前記遊技基板の前面の全部又は一部に設けられ、前面装飾部に絵柄を有する前面装飾層と、
Ｃ　前記遊技基板の後面であって、前記第１背面側視認可能領域に対向する位置の少なくとも一部に前面装飾部と同じ前記絵柄からなり、正面から視認した場合に一定距離ずれて又は同じ位置に形成された後面装飾部を有する後面装飾層と、
Ｄ　後面に前記後面装飾部が設けられていない領域であって、かつ前記第１背面側視認可能領域から背面側が視認可能となる第２背面側視認可能領域と、
Ｅ　を有していることを特徴とする遊技板。」
２　当審の拒絶理由
　平成３０年９月３日付けの拒絶理由通知で通知した当審の拒絶理由は、次のとおりである。
［拒絶理由１］
　この出願の請求項１ないし４に係る発明は、その出願の日前の特許出願であって、その出願後に特許掲載公報の発行又は出願公開がされた下記の特許出願１又は２の願書に最初に添付された明細書、特許請求の範囲又は図面に記載された発明と同一であり、しかも、この出願の発明者がその出願前の特許出願１又は２に係る上記の発明をした者と同一ではなく、またこの出願の時において、その出願人が上記特許出願１又は２の出願人と同一でもないので、特許法第２９条の２の規定により、特許を受けることができない。
［拒絶理由２］
　この出願は、特許請求の範囲の記載が特許法第３６条第６項第２号に規定する要件を満たしていない。
特許出願１：特願２０１３−１９２１１８号（特開２０１５−５８０５８号）
特許出願２：特願２０１３−９０１０７号（特開２０１４−２１２８３３号）
３　拒絶理由１について
（１）特許出願１
　当審の拒絶理由通知で引用された、本願の特許出願の日前の他の出願であって、本願の出願後に出願公開がなされた特許出願１（特願２０１３−１９２１１８号、特開２０１５−５８０５８号公報参照。）の願書に最初に添付された明細書、特許請求の範囲又は図面（以下「先願明細書等１」という。）には、以下の事項が記載されている（下線は当審にて付したものである。）。
［記載事項］
（ア）「【００３０】
　
遊技盤本体５０は
透明なアクリル素材で形成された平板状の部材であるアクリル板５１と、アクリル板５１の表面５１ａに貼り付けられた表面装飾シート６０と、アクリル板５１の裏面５１ｂに貼り付けられた裏面装飾シート７０と、を備え
・・・中略・・・
【００３２】
　
表面装飾シート６０は、図４，５に示すように、表層６０ａと、表層６０ａの裏面側に形成された基材層６０ｃと、表層６０ａと基材層６０ｃとの間に形成された意匠層６０ｂと、を備える。
表面装飾シート６０は、
アクリル板５１の表面５１ａに貼り付けられており、表面５１ａの全面に貼り付けられている
表層６０ａ及び基材層６０ｃは
透明フィルムで構成されている。意匠層６０ｂは、基材層６０ｃの表面に印刷
により形成された層である。意匠層６０ｂには、表面絵柄６１ａ，６１ｂ，表面識別マーク６３ａ，６３ｂが設けられている
表面絵柄６１ｂは、扇子（扇）を描いた絵柄であり
右中央部に設けられている
【００３３】
　
裏面装飾シート７０は、図４，５に示すように、表層７０ａと、表層７０ａの裏面側に形成された基材層７０ｃと、表層７０ａと基材層７０ｃとの間に形成された意匠層７０ｂと、を備える。
裏面装飾シート７０は
アクリル板５１の裏面５１ｂに貼り付けられており、裏面５１ｂの全面に貼り付けられている
表層７０ａ及び基材層７０ｃは
透明フィルムで構成されている。意匠層７０ｂは、基材層７０ｃの表面に印刷
により形成された層である。意匠層７０ｂには、裏面絵柄７１ａ，７１ｂ，裏面識別マーク７３ａ，７３ｂが設けられている
裏面絵柄７１ｂは、扇子（扇）の影を模した絵柄であり
右中央部に設けられている
【００３４】
　このようにして構成された遊技盤本体５０を
表面側（表面５１ａ側）から見ると、
アクリル板５１を透かして
遊技盤本体５０の右中央部には表面絵柄６１ｂ，裏面絵柄７１ｂが確認でき
このように、遊技盤本体５０では、表面装飾シート６０と裏面装飾シート７０とに設けられた絵柄により、遊技者に奥行きを感じさせるようになっている
表面装飾シート６０
絵柄が設けられておらずほぼ無色透明となっている
（イ）「【図３】
【図４】
【図５】
【図６】
【図７】
」
［認定事項］
（ウ）上記記載事項（ア）【００３２】に「表面装飾シート６０は、図４，５に示すように、表層６０ａと、表層６０ａの裏面側に形成された基材層６０ｃと、表層６０ａと基材層６０ｃとの間に形成された意匠層６０ｂと、を備える。」と記載されていることに照らして、上記記載事項（イ）【図４】及び【図５】を参照すれば、
表面装飾シート６０は、表層６０ａと、意匠層６０ｂと、基材層６０ｃとをこの順で積層したものである
（エ）上記記載事項（ア）【００３２】に「意匠層６０ｂには、表面絵柄６１ａ，６１ｂ，表面識別マーク６３ａ，６３ｂが設けられている」と記載されていることに照らして、上記記載事項（イ）【図６】を参照すれば、
表面装飾シート６０は、表面絵柄６１ａ，６１ｂ，表面識別マーク６３ａ，６３ｂが設けられていない領域を有する
（オ）上記認定事項（ウ）より、「表面装飾シート６０は、表層６０ａと、意匠層６０ｂと、基材層６０ｃとをこの順で積層したものであ」り、上記記載事項（ア）【００３２】に「表層６０ａ及び基材層６０ｃは…透明フィルムで構成されている。意匠層６０ｂは、基材層６０ｃの表面に印刷…により形成された層である。」と記載され、上記記載事項（ア）【００３４】に「遊技盤本体５０を表面側（表面５１ａ側）から見ると…表面装飾シート６０の絵柄等だけでなく、アクリル板５１を透かして裏面装飾シート７０に形成された絵柄等も確認できる。…表面装飾シート６０…絵柄が設けられておらずほぼ無色透明となっている」と記載されているので、上記認定事項（エ）における、
表面装飾シート６０の表面絵柄６１ａ，６１ｂ，表面識別マーク６３ａ，６３ｂが設けられていない領域は透明である
（カ）上記記載事項（ア）【００３３】に「裏面装飾シート７０は、図４，５に示すように、表層７０ａと、表層７０ａの裏面側に形成された基材層７０ｃと、表層７０ａと基材層７０ｃとの間に形成された意匠層７０ｂと、を備える。」と記載されていることに照らして、上記記載事項（イ）【図４】及び【図５】を参照すれば、
裏面装飾シート７０は、表層７０ａと、意匠層７０ｂと、基材層７０ｃとをこの順で積層したものである
（キ）上記記載事項（ア）【００３３】に「意匠層７０ｂには、裏面絵柄７１ａ，７１ｂ，裏面識別マーク７３ａ，７３ｂが設けられている」と記載されていることに照らして、上記記載事項（イ）【図７】を参照すれば、
裏面装飾シート７０は、意匠層７０ｂに裏面絵柄７１ａ，７１ｂ，裏面識別マーク７３ａ，７３ｂが設けられていない領域を有する
（ク）上記認定事項（カ）より、「裏面装飾シート７０は、表層７０ａと、意匠層７０ｂと、基材層７０ｃとをこの順で積層したものであ」り、上記記載事項（ア）【００３３】に「表層７０ａ及び基材層７０ｃは…透明フィルムで構成されている。意匠層７０ｂは、基材層７０ｃの表面に印刷…により形成された層である」と記載されているから、裏面装飾シート７０は、上記認定事項（ウ）ないし（オ）で検討した表面装飾シート６０と同じ構成であるため、上記認定事項（キ）における、
裏面装飾シート７０の裏面絵柄７１ａ，７１ｂ，裏面識別マーク７３ａ，７３ｂが設けられていない領域も透明である
（ケ）上記記載事項（イ）【図３】から、
遊技盤本体５０は、表面装飾シート６０に表面絵柄６１ａ，６１ｂ，表面識別マーク６３ａ，６３ｂが設けられておらず、かつ裏面装飾シート７０に裏面絵柄７１ａ，７１ｂ，裏面識別マーク７３ａ，７３ｂが設けられていない領域を有する
　そして、上記記載事項（ア）及び（イ）並びに認定事項（ウ）ないし（ケ）を総合勘案すると、先願明細書等１には次の発明（以下「先願発明」という。）が記載されていると認められる。
［先願発明］
「ａ　透明なアクリル素材で形成された平板状の部材であるアクリル板５１を備え、（（ア）【００３０】）
ｂ　アクリル板５１の表面５１ａに貼り付けられ、扇子（扇）を描いた絵柄である表面絵柄６１ｂが右中央部に設けられている意匠層６０ｂを備える表面装飾シート６０を備え、（（ア）【００３０】、【００３２】）
　表面装飾シート６０は表面絵柄６１ａ，６１ｂ，表面識別マーク６３ａ，６３ｂが設けられていない領域を有し、表面装飾シート６０の表面絵柄６１ａ，６１ｂ，表面識別マーク６３ａ，６３ｂが設けられていない領域は透明であり、（認定事項（エ）、（オ））
ｃ　アクリル板５１の裏面５１ｂに貼り付けられ、扇子（扇）の影を模した絵柄である裏面絵柄７１ｂが右中央部に設けられている意匠層７０ｂを備える裏面装飾シート７０を備え、（（ア）【００３０】、【００３３】）
　表面側（表面５１ａ側）から見ると、アクリル板５１を透かして、右中央部には表面絵柄６１ｂ，裏面絵柄７１ｂが確認でき、このように、表面装飾シート６０と裏面装飾シート７０とに設けられた絵柄により、遊技者に奥行きを感じさせるようになっており、（（ア）【００３４】）
ｄ　裏面装飾シート７０は、裏面絵柄７１ａ，７１ｂ，裏面識別マーク７３ａ，７３ｂが設けられていない領域を有し、裏面装飾シート７０の裏面絵柄７１ａ，７１ｂ，裏面識別マーク７３ａ，７３ｂが設けられていない領域は透明であり、表面装飾シート６０に表面絵柄６１ａ，６１ｂ，表面識別マーク６３ａ，６３ｂが設けられておらず、かつ裏面装飾シート７０に裏面絵柄７１ａ，７１ｂ，裏面識別マーク７３ａ，７３ｂが設けられていない領域を有する（認定事項（キ）、（ク）、（ケ））
ｅ　遊技盤本体５０。（（ア）【００３０】）」
（２）対比
　本願発明と先願発明とを対比する（なお、本願発明の分説した構成ＡないしＥに対応して、見出し（Ａ）ないし（Ｅ）を付した。）。
（Ａ）
　先願発明の「透明なアクリル素材で形成された平板状の部材であるアクリル板５１」は、本願発明の「透明又は半透明な素材で作成された遊技基板」に相当する。
　したがって、先願発明は、本願発明の構成Ａを備えている。
（Ｂ）
　先願発明において、「表面装飾シート６０」が「アクリル板５１の表面５１ａに貼り付けられ」たことは、本願発明において、「前面装飾層」が「前記遊技基板の前面の全部又は一部に設けられ」たことに相当する。
　また、先願発明における、「意匠層６０ｂ」の「扇子（扇）を描いた絵柄である表面絵柄６１ｂが」「設けられている」部分は、本願発明における、「絵柄を有する」「前面装飾部」に相当する。
　さらに、先願発明における、「表面装飾シート６０」の「表面絵柄６１ａ，６１ｂ，表面識別マーク６３ａ，６３ｂが設けられていない領域」は、「表面絵柄６１ｂが右中央部に設けられている」ため、アクリル板５１の表面５１ａ側の一部であることは明らかである。
　そして、「表面絵柄６１ａ，６１ｂ，表面識別マーク６３ａ，６３ｂが設けられていない領域」は「透明であ」り、「アクリル板５１」も「透明なアクリル素材で形成された平板状の部材である」ので、先願発明において、「表面装飾シート６０」に「表面絵柄６１ａ，６１ｂ，表面識別マーク６３ａ，６３ｂが設けられていない領域を有」することは、本願発明において、「前記遊技基板の前面側の一部に後面及び背面側が視認可能な第１背面側視認可能領域を有する」ことに相当する。
　したがって、先願発明は、本願発明の構成Ｂを備えている。
（Ｃ）
　先願発明では、「裏面絵柄７１ｂ」は、「表面側（表面５１ａ側）から見ると、アクリル板５１を透かして、右中央部に」「確認でき」るので、「表面絵柄６１ａ，６１ｂ，表面識別マーク６３ａ，６３ｂが設けられていない領域」に対向する位置の少なくとも一部に「設けられている」といえる。
　よって、先願発明における、「アクリル板５１の裏面５１ｂに貼り付けられ、扇子（扇）の影を模した絵柄である裏面絵柄７１ｂが設けられている意匠層７０ｂを備える裏面装飾シート７０」は、本願発明の構成Ｃと、「前記遊技基板の後面であって、前記背面側視認可能領域に対向する位置の少なくとも一部に」「絵柄からなり」、「形成された後面装飾部を有する後面装飾層」である点で共通する。
（Ｄ）
　先願発明の「裏面絵柄７１ａ，７１ｂ，裏面識別マーク７３ａ，７３ｂが設けられていない領域」は、本願発明の「後面に前記後面装飾部が設けられていない領域」に相当する。
　そして、先願発明において、「アクリル板５１」は「透明なアクリル素材で形成された平板状の部材であ」り、「表面装飾シート６０の表面絵柄６１ａ，６１ｂ，表面識別マーク６３ａ，６３ｂが設けられていない領域は透明であ」り、「裏面装飾シート７０の裏面絵柄７１ａ，７１ｂ，裏面識別マーク７３ａ，７３ｂが設けられていない領域は透明であ」るから、先願発明の「表面装飾シート６０に表面絵柄６１ａ，６１ｂ，表面識別マーク６３ａ，６３ｂが設けられておらず、かつ裏面装飾シート７０に裏面絵柄７１ａ，７１ｂ，裏面識別マーク７３ａ，７３ｂが設けられていない領域」は、アクリル板５１も表面装飾シート６０も裏面装飾シート７０も透明であるため、背面側が視認可能となっているといえる。
　よって、先願発明の「表面装飾シート６０に表面絵柄６１ａ，６１ｂ，表面識別マーク６３ａ，６３ｂが設けられておらず、かつ裏面装飾シート７０に裏面絵柄７１ａ，７１ｂ，裏面識別マーク７３ａ，７３ｂが設けられていない領域」は、本願発明の「後面に前記後面装飾部が設けられていない領域であって、かつ前記第１背面側視認可能領域から背面側が視認可能となる第２背面側視認可能領域」に相当する。
　したがって、先願発明は、本願発明の構成Ｄを備えている。
（Ｅ）
　先願発明の「遊技盤本体５０」は、本願発明の「遊技板」に相当する。
　したがって、先願発明は、本願発明の構成Ｅを備えている。
　以上より、本願発明と先願発明とは、
「透明又は半透明な素材で作製された遊技基板と、
　前記遊技基板の前面側の一部に後面及び背面側が視認可能な第１背面側視認可能領域を有するように前記遊技基板の前面の全部又は一部に設けられ、前面装飾部に絵柄を有する前面装飾層と、
　前記遊技基板の後面であって、前記第１背面側視認可能領域に対向する位置の少なくとも一部に絵柄からなり、形成された後面装飾部を有する後面装飾層と、
　後面に前記後面装飾部が設けられていない領域であって、かつ前記第１背面側視認可能領域から背面側が視認可能となる第２背面側視認可能領域と、
　を有している遊技板。」
である点で一致し、以下の点で一応相違する。
［相違点］
　構成Ｃの後面装飾部が、本願発明では、「前面装飾部と同じ前記絵柄からなり、正面から視認した場合に一定距離ずれて又は同じ位置に形成された」ものであるのに対し、先願発明では、そのように特定されていない点。
（３）判断
　上記相違点について検討する。
　先願発明では、「表面装飾シート６０」の「扇子（扇）を描いた絵柄である表面絵柄６１ｂ」と「裏面装飾シート７０」の「扇子（扇）の影を模した絵柄である裏面絵柄７１ｂ」とは共に、「右中央部に設けられ」ており、「表面側（表面５１ａ側）から見ると、アクリル板５１を透かして、右中央部には表面絵柄６１ｂ，裏面絵柄７１ｂが確認でき、このように、表面装飾シート６０と裏面装飾シート７０とに設けられた絵柄により、遊技者に奥行きを感じさせるようになって」いる。
　そうすると、先願発明の「扇子（扇）の影を模した絵柄である裏面絵柄７１ｂ」は、「遊技者に奥行きを感じさせる」という課題を解決するために、「表面装飾シート６０」の「扇子（扇）を描いた絵柄である表面絵柄６１ｂ」に対応した絵柄からなり、「アクリル板５１を透かして、右中央部に」「確認でき」るよう、「扇子（扇）を描いた絵柄である表面絵柄６１ｂ」に対応する位置に形成されているといえる。
　ここで、透明又は半透明な基板の後面に、前面の絵柄と同じ絵柄を、正面から視認した場合に一定距離ずれて形成することによって、立体感を感じさせるようにすることは、装飾体に関する技術分野において周知の技術事項であると認められる（例えば、実願昭６０−６７７４１号（実開昭６１−１８３７００号公報参照。）の願書に添付した明細書及び図面の内容を撮影したマイクロフィルムの実用新案登録請求の範囲には「（１）透明材料からなる板状基体と、該板状基体の表側面に形成された絵、文字等の表側加飾体と、該板状基体の裏側面で該表側加飾体の反対側に該表側加飾体を反転させた形状で形成された裏側加飾体とからなることを特徴とする装飾部材。…（３）表側加飾体と裏側加飾体とは板状基体表面に平行に、僅かにずれた位置に形成されている特許請求の範囲第１項記載の装飾部材。」と記載され、第５頁第１０行〜同頁第１２行には「…板状基体と介して、表側加飾体と裏側加飾体の両方が見えることにより、板状基体の屈折率の関係で立体的に見える…」と記載されている。また、特開平８−１８７８１２号公報の【特許請求の範囲】には「【請求項１】文字や画像が印画または印刷されている非透明シートのベース画像面と、前記非透明シートと同一の文字や画像が印画または印刷されている透明シート画像面の裏面とが、密着状態で積層されてなる立体状視覚を呈するシート状積層体。…【請求項３】ベース画像面と透明シート画像面とが、何れかの方向に微細な感覚のずれを形成した状態で積層されてなる請求項１記載の立体状視覚を呈するシート状積層体。」と記載され、【００２６】には「【発明の効果】本発明のシート状積層体は、ベース画像と表面画像とが透明層を介して積層された簡単な構造で画像に立体感を持たせたものであり、特に、人為的にずれを設けた場合は、画像全体に深みと立体感とを合わせ有したものとなる。」と記載されている。さらに、実願昭６１−１９５６９２号（実開昭６３−９８８４６号公報参照。）の願書に添付した明細書及び図面の内容を撮影したマイクロフィルムの実用新案登録請求の範囲には「（１）所望厚みの透明乃至半透明な基体を介して表裏側で互いに外郭をズラせて一つの調和した識別模様を醸し出す各着色層を形成してなることを特徴とする装飾成形品。（２）上記各着色層が同じ外郭形状に形成されているところの実用新案登録請求の範囲第１項記載の装飾成形品。」と記載され、第５頁第６頁〜同頁第１３行には「…透明乃至半透明な基体１０の肉厚を通して裏面側の着色層１２と表面側の着色層１１が同時に視認され、しかも両着色層１１，１２の外郭が位置ズレしているために表面側の着色層１１が裏面側の着色層１２から浮き上った感じを呈することにより各着色層１１，１２で成形する識別模様に極めて立体感を持たせることができる。」と記載されている。）。
　そして、先願発明の「遊技盤本体５０」は、「表面装飾シート６０」と「裏面装飾シート７０」とを「備え」るので、装飾体に関する技術分野に属することは明らかである。
　してみると、先願発明における「遊技者に奥行きを感じさせる」という課題に照らせば、「扇子（扇）の影を模した絵柄である裏面絵柄７１ｂが右中央部に設けられている」構成に換えて上記周知の技術事項を採用して、「扇子（扇）を描いた絵柄である表面絵柄６１ｂ」と同じ絵柄を、正面から視認した場合に一定距離ずれて形成することは、周知技術による転換であって、新たな効果を奏するものではないから、上記課題解決のための具体化手段における微差にすぎない。
　したがって、本願発明と先願発明とは実質的に同一である。
（４）審判請求人の主張について
　審判請求人は、平成３０年１０月１２日に提出した意見書の「［２］本願が特許されるべき理由」「３．各引用文献に記載の発明と本願発明との比較」において、先願明細書等１には、本願発明のように、
・後面装飾層の一部に、前面装飾部と同じ絵柄からなる絵柄が設けられている点
・前面装飾層と後面装飾層の同じ絵柄が一定距離ずれて又は同じ位置に配置されている点
については、記載されておらず、実質的同一と判断されるべき記載もない旨を主張している。
　しかしながら、審判請求人の上記主張については上記（３）判断のとおりであるから、これを採用することはできない。
（５）小括
　上記（１）ないし（４）より、本願発明は、先願明細書等１に記載された先願発明と同一であり、しかも、本願の発明者が特許出願１に係る上記の先願発明をした者と同一ではなく、また本願出願時において、本願の出願人が上記特許出願１の出願人と同一でもないので、特許法第２９条の２の規定により、特許を受けることができない。
第３　むすび
　以上のとおり、本願発明は、特許法第２９条の２の規定により特許を受けることができないから、他の拒絶理由及び他の請求項に係る発明について検討するまでもなく、本願は拒絶されるべきものである。
　よって、結論のとおり審決する。